(57)【特許請求の範囲】
【請求項１】
所定の信号を記録する記録手段を有するノンリニア編集装置において、
ビデオ信号に対する処理を行う手段とオーディオ信号に対する処理を行う手段とからそれぞれ送出される信号を合成して出力する編集処理系路と、上記記録手段に上記所定の信号を送出する処理系路とを分離するマトリクスブロック部を有することを特徴とするノンリニア編集装置。
【請求項２】
請求項１において、
上記記録手段は、
ハードデイスクドライブであることを特徴とするノンリニア編集装置。
【請求項３】
請求項１において、
上記所定の信号は、
エンベデツドオーデイオシリアル・デイジタル・インターフエイス信号であることを特徴とするノンリニア編集装置。
【請求項４】
請求項１において、
上記所定の信号は、
編集処理の対象とされ得る信号であることを特徴とするノンリニア編集装置。
【請求項５】
所定の信号を記録する記録ステップを有するノンリニア編集方法において、
ビデオ信号に対する処理を行うステップとオーディオ信号に対する処理を行うステップとによって、それぞれ送出される信号を合成して出力する編集処理ステップと、上記記録ステップに上記所定の信号を送出する処理ステップとをマトリクスブロック部によって分離することを特徴とするノンリニア編集方法。
【発明の詳細な説明】
【０００１】
【目次】
以下の順序でこの発明を説明する。
【０００２】
発明の属する技術分野
従来の技術
発明が解決しようとする課題
課題を解決するための手段
発明の実施の形態
発明の効果
【０００３】
【発明の属する技術分野】
この発明は編集装置に関し、例えばニユース素材等を編集対象とする編集装置に適用して好適なものである。
【０００４】
【従来の技術】
従来、この種の編集装置としては、ノンリニア編集すなわちビデオテープレコーダ（以下、ＶＴＲと表記する）にアナログデータとして記録されたニユース素材等をディジタルデータに変換し、変換されたディジタルデータをソフトウェア等を用いて処理することによつて編集を行うものが多く用いられている。
【０００５】
このようなノンリニア編集において、ニユース素材等をリアルタイムで編集することは、ソフトウェア等の処理能力の限界等のため困難である。このため、編集装置には、ハードディスクドライブ（ＨＤＤ）等の記録手段（以下、ローカルストレージと表記する）が設けられ、編集処理の対象となり得るニユース素材等をローカルストレージに一旦取り込んだ後に編集処理を行うことが多い。
【０００６】
【発明が解決しようとする課題】
従来のノンリニア編集機において、ニユース素材等は、ビデオ信号に対する処理を行う手段とオーディオ信号に対する処理を行う手段とからそれぞれ送出される信号を合成して出力する編集処理系路を必ず経由して、編集機に接続される例えばオンエアバッファ（放送の際にプログラムを一時的に記憶する手段）等の機材に送出されるようになされている。上述したローカルストレージもこのような編集機に接続される機材の一つなので、ローカルストレージに取り込まれるニユース素材も、編集処理系路を必ず経由することになる。
【０００７】
従って、ニユース素材等がローカルストレージに取り込まれる期間には、ローカルストレージにニユース素材等を送出するために編集処理系路が専有されてしまうので、編集処理を行うことができない。このため、編集機全体の運用効率の向上に支障を来していた。
【０００８】
この発明は以上の点を考慮してなされたもので、ニユース素材等をローカルストレージに取り込む期間にも、編集処理を行うことができる編集装置及び編集方法を提案しようとするものである。
【０００９】
【課題を解決するための手段】
請求項１の発明は、所定の信号を記録する記録手段を有するノンリニア編集装置において、
ビデオ信号に対する処理を行う手段とオーディオ信号に対する処理を行う手段とからそれぞれ送出される信号を合成して出力する編集処理系路と、記録手段に所定の信号を送出する処理系路とを分離するマトリクスブロック部を有することを特徴とするノンリニア編集装置である。
【００１０】
請求項５の発明は、所定の信号を記録する記録ステップを有するノンリニア編集方法において、
ビデオ信号に対する処理を行うステップとオーディオ信号に対する処理を行うステップとによって、それぞれ送出される信号を合成して出力する編集処理ステップと、記録ステップに所定の信号を送出する処理ステップとをマトリクスブロック部によって分離することを特徴とするノンリニア編集方法である。
【００１１】
以上のような発明によれば、編集処理系路、すなわちビデオ信号に対する処理を行う手段とオーディオ信号に対する処理を行う手段とからそれぞれ送出される信号を合成して出力する信号系路と、記録手段に記録対象とされる所定の信号を送出する信号系路とを分離することができる。
【００１２】
このため、記録手段に記録対象とされる所定の信号を送出する期間にも、編集処理系路が専有されないので、編集処理を行うことができる。
【００１３】
【発明の実施の形態】
以下図面について、この発明の一実施例を詳述する。
【００１４】
（１）編集装置の全体構成
図１において、１は全体としてこの発明を適用した編集装置を示し、大きく分けてコンピユータ２と編集処理装置３からなる。コンピユータ２はＣＰＵ（中央処理ユニツト）や各種処理回路、或いはフロツピーデイスクドライブ、ハードデイスクドライブ等を備える本体２Ａと、当該本体２Ａに接続される表示手段としてのモニタ２Ｂと、入力手段としてのキーボード２Ｃ及びマウス２Ｄとを有している。このようなコンピユータ２は編集のためのソフトウエアとしてアプリケーシヨンプログラムがハードデイスクドライブに予めインストールされており、オペレーテイングシステムの基で当該アプリケーシヨンプログラムを動作させることにより編集装置用のコンピユータとして起動するようになされている。
【００１５】
因みに、このアプリケーシヨンプログラムを動作させたときには、モニタ２Ｂ上にＧＵＩ（グラフイカル・ユーザ・インターフエイス）のためのグラフイツク表示が表示されるようになされており、この編集装置１では、このＧＵＩを介して編集のための制御コマンドを入力し得るようになされている。なお、コンピユータ２は、入力された制御コマンドの内容が編集処理装置３の動作を制御するものであれば当該制御コマンドに応じた制御信号Ｓ１を生成し、これを編集処理装置３に送出するようになされている。
【００１６】
またこのコンピユータ２には編集処理装置３を介してビデオ信号Ｓ２が入力されるようになされており、これにより各素材の映像をモニタ２Ｂに表示してその内容を確認しながらイン点（イベントの開始点）やアウト点（イベントの終了点）を指示し得るようになされていると共に、イン点及びアウト点を指示することによつて切り取られたイベント素材や編集したプログラムの映像を表示してその内容を確認し得るようになされている（以下、この切り取られた素材や編集したプログラムの内容を確認することをプレビユウと呼ぶ）。
【００１７】
一方、編集処理装置３は内部にマトリクススイツチヤ部、画像処理部及び音声処理部を有しており、素材の切り取りや繋ぎ合わせ、或いはビデオ信号やオーデイオ信号に対する信号処理等、実際の編集作業を実行する装置である。
【００１８】
この編集処理装置３には上述したようなコンピユータ２が接続されているだけでなく、専用コントローラ４、５も接続されており、当該専用コントローラ４、５を使用しても編集のための制御コマンドを入力し得るようになされている。
【００１９】
因みに、専用コントローラ４は、素材のイン点やアウト点を指示するためのボタン操作子や、素材の再生を指示するためのボタン操作子、或いは編集したプログラムの記録を指示するためのボタン操作子等を有していると共に、変速再生（いわゆるシヤトル再生）やコマ送り再生（いわゆるジヨグ再生）の指示を入力するためのダイアル操作子等を有しており、それらのボタン操作子又はダイアル操作子を介して入力された指示情報に応じた制御信号Ｓ３を編集処理装置３に送出するようになされている。
【００２０】
また専用コントローラ５は、オーデイオレベルを入力するためのスライド操作子（いわゆるオーデイオフエーダ）や２つの映像を切り換えるときの切換率を入力するためのスライド素子（いわゆるビデオフエーダ）等を有しており、それらのスライド操作子を介して入力された指示情報に応じた制御信号Ｓ４を編集処理装置３に送出するようになされている。
【００２１】
またこの編集処理装置３に対しては、デイリーサーバ６（一般に放送局において映像や音声等の編集素材を記憶している記憶手段）が接続されており、当該デイリーサーバ６に記憶されているビデオ及びオーデイオ信号を取り込めるようになされている。この場合、デイリーサーバ６は２チヤンネル分の出力ポートを有しており、編集処理装置３から供給されるチヤンネル毎の制御信号Ｓ５、Ｓ６に応じて所望のビデオ及びオーデイオ信号Ｓ７、Ｓ８を記憶媒体６Ａから読み出して出力するようになされている。
【００２２】
なお、記憶媒体６Ａには圧縮率1/10のＭＰＥＧ（Moving Picture coding Experts Group ）規格で圧縮されたビデオ及びオーデイオ信号が記憶されており、読み出されたビデオ及びオーデイオ信号はそれぞれデコーダ６Ｂ、６Ｃを介して復号化が行われた後、シリアル・デイジタル・インターフエイス（以下、これをＳＤＩと呼ぶ）規格のフオーマツトに変換され、そのＳＤＩ規格のビデオ及びオーデイオ信号Ｓ７、Ｓ８が編集処理装置３に供給されるようになされている。
【００２３】
またこの編集処理装置３に対してはＶＴＲ７も接続されており、当該ＶＴＲ７に記憶されているビデオ及びオーデイオ信号も取り込めるようになされている。この場合、ＶＴＲ７はＳＤＩ規格の入出力インターフエイスを有しており、編集処理装置３から供給される制御信号Ｓ９に応じて所望のビデオ及びオーデイオ信号Ｓ１０を読み出して出力するようになされている。またＶＴＲ７は、編集処理された後のビデオ及びオーデイオ信号やデイリーサーバ６から読み出されたビデオ及びオーデイオ信号Ｓ７、Ｓ８を記録対象のビデオ及びオーデイオ信号Ｓ１１として編集処理装置３から受けるようになされており、制御信号Ｓ９に応じてそのビデオ及びオーデイオ信号Ｓ１１をビデオテープに記録するようにもなされている。
【００２４】
またこの編集処理装置３に対しては、複数のハードデイスクからなるローカルストレージ８も接続されており、当該ローカルストレージ８に記憶されているビデオ及びオーデイオ信号も取り込めるようになされている。この場合、ローカルストレージ８はＳＤＩ規格の入出力インターフエイスを有していると共に、出力ポートとしては２チヤンネル分のポートを有しており、編集処理装置３から供給される制御信号Ｓ１２に応じて所望のビデオ及びオーデイオ信号Ｓ１３、Ｓ１４を読み出して出力するようになされている。またローカルストレージ８は、編集処理された後のビデオ及びオーデイオ信号やデイリーサーバ６又はＶＴＲ７から読み出されたビデオ及びオーデイオ信号を記録対象のビデオ及びオーデイオ信号Ｓ１５として編集処理装置３から受けるようになされており、制御信号Ｓ１２に応じてそのビデオ及びオーデイオ信号Ｓ１５を内部のハードデイスクに記録するようにもなされている。
【００２５】
またこの編集処理装置３に対しては、オンエアバツフア（放送の際にプログラムを一時的に記憶するための記憶手段）９も接続されており、当該編集処理装置３によつて編集処理したプログラムのビデオ及びオーデイオ信号Ｓ１６をオンエアバツフア９に記憶し得るようになされている。この場合、オンエアバツフア９はＳＤＩ規格の入力インターフエイスを有しているので、送出されるビデオ及びオーデイオ信号Ｓ１６としてはＳＤＩ規格の信号フオーマツトになつている。またオンエアバツフア９においては、供給されたビデオ及びオーデイオ信号Ｓ１６をエンコーダ９Ａによつて圧縮率1/10のＭＰＥＧ規格で圧縮した後、内部の記憶媒体９Ｂに記憶するようになされている。
【００２６】
なお、このオンエアバツフア９と編集装置１のコンピユータ２は例えばイーサネツト等のローカルエリアネツトワーク（以下、これをＬＡＮと呼ぶ）１０を介して接続されており、オンエアバツフア９に対する制御コマンドはコンピユータ２及びＬＡＮ１０を介して当該オンエアバツフア９に送出される。また編集されたプログラムがどのような素材で構成されているかを示す編集リスト（一般にエデイツト・デイシジヨン・リストと呼ばれる）も、このＬＡＮ１０を介してオンエアバツフア９に送出される。また編集装置１のコンピユータ２とデイリーサーバ６もこのＬＡＮ１０を介して接続されており、当該ＬＡＮ１０を介してデイリーサーバ６に記憶されている各素材のフアイル名等をコンピユータ２から参照し得るようになされている。
【００２７】
また編集処理装置３に対しては、オプシヨン接続としてスピーカ１１及び１２が接続されるようになされており、編集処理装置３によつて編集されたオーデイオ信号Ｓ１７、Ｓ１８を当該スピーカ１１、１２から送出してオーデイオに関する編集内容を確認し得るようになされている。
【００２８】
さらに編集処理装置３に対しては、オプシヨン接続としてプレビユウ専用のモニタ１３も接続されるようになされており、編集処理装置３によつて編集されたビデオ信号Ｓ１９を当該モニタ２Ｂに表示してビデオに関する編集内容をこのモニタ１３によつても確認し得るようになされている。因みに、このモニタ１３に表示されるプレビユウ画面の方がコンピユータ２のモニタ２Ｂに表示されるプレビユウ画面よりも大きいので、モニタ１３を接続した方がより鮮明に編集内容を確認し得る。
【００２９】
ここでこの編集装置１における編集方法を簡単に説明する。まずこの編集装置１では、アプリケーシヨンプログラムを起動させると、上述したようにモニタ２ＢにＧＵＩのためのグラフイツク表示が表示される。オペレータは、モニタ２Ｂに表示されるＧＵＩをマウス２Ｄを使用してクリツク操作することにより、編集素材が記憶されているデバイス（すなわちデイリーサーバ６、ＶＴＲ７又はローカルストレージ８）を指示すると共に、その素材の再生を指示する。これによりその指示された素材のビデオ信号Ｓ２が編集処理装置３を介してコンピユータ２に供給され、その素材の映像がモニタ２Ｂに表示される。オペレータはその素材の映像を見ながらイン点とアウト点を指示することにより、プログラム作成に必要なイベントを生成する。オペレータはこの処理を繰り返し、プログラム作成に必要なイベントを一通り用意する。
【００３０】
続いてオペレータは、先程指定したイベントをプログラムウインドウと呼ばれる表示エリア内で所望の順番に並び換えることによりプログラムの順番を指示する。また所望のイベントに特殊効果を施すのであれば、その位置や特殊効果の種類をプログラムウインドウ内で指示する。因みに、このプログラムウインドウはプログラム作成に当たつて使用される仮想的な空間であり、このプログラムウインドウ内で各イベントを並べただけではプログラムは作成されない。
【００３１】
このようにしてプログラムの概案が決まると、オペレータはＧＵＩを介してプレビユウの指示を入力する。これを受けた編集装置１は、編集処理装置３を制御することによりプログラムウインドウで指示されたプログラムの順番に基づいて各イベントを再生すると共に、編集処理装置３を制御することにより指示されたイベントに特殊効果を施し、ビデオ信号Ｓ２を生成する。このビデオ信号Ｓ２はコンピユータ２に供給され、かくしてモニタ２Ｂに表示される。これによりオペレータは設定したプログラムの内容を確認することができる。
【００３２】
このようなプレビユウの結果、プログラム内容に変更がなければ、オペレータはＧＵＩを介して記録の指示を入力する。これを受けた編集装置１は、先程と同様に編集処理装置３を制御することにより指示されたプログラムを示すビデオ及びオーデイオ信号Ｓ１５を生成し、これをローカルストレージ８に供給して記録する。かくしてこの処理により、プログラムウインドウによつて指示されたプログラムが完成し、ローカルストレージ８に記憶される。なお、この編集により生成したプログラムを放送する場合には、ＧＵＩを介して転送の指示を入力すれば、ローカルストレージ８からそのビデオ及びオーデイオ信号が読み出され、編集処理装置３を介してオンエアバツフア９に転送される。
【００３３】
このようにしてこの編集装置１では、各素材の映像やプログラムの映像をモニタ２Ｂで確認しながら当該プログラムを作成し得るので、編集の使い勝手を向上し得る。またこの編集装置１では、オペレータがスイツチヤや特殊効果装置を直接操作しなくても編集が行えるので、編集操作を容易に行うことができ、編集に掛かる手間を削減し得る。
【００３４】
（２）コンピユータの内部構成
この項ではコンピユータ２の内部構成について具体的に説明する。図２に示すように、コンピユータ２は、コマンドデータやビデオデータを伝送するためのシステムバス２０、コンピユータ全体の制御を行うＣＰＵ２１、入力されるビデオ信号Ｓ２に対して画像処理等を行うビデオプロセツサ２２、モニタ２Ｂに表示されるビデオデータやＧＵＩのためのグラフイツク表示を管理する表示コントローラ２３、ローカルハードデイスクドライブ（ローカルＨＤＤ）２４Ａを制御するためのＨＤＤインターフエイス２４、フロツピーデイスクドライブ（ＦＤＤ）２５Ａを制御するためのＦＤＤインターフエイス２５、マウス２Ｄ及びキーボード２Ｃ等のポインテイングデバイスからのコマンドに基づいて制御コマンドを生成するポインテイングデバイスインターフエイス２６、編集処理装置３に制御信号Ｓ１を送出するためのソフトウエアドライバを備えた外部インターフエイス２７を有している。
【００３５】
システムバス２０は、コンピユータ２内部でビデオデータやコマンドデータ、或いはアドレスデータ等の通信を行うためのバスであり、ビデオデータを伝送するための画像データバス２０Ａと、コマンドデータやアドレスデータを伝送するためのコマンドデータバス２０Ｂとからなる。画像データバス２０ＡにはＣＰＵ２１、ビデオプロセツサ２２、表示コントローラ２３、ＨＤＤインターフエイス２４及びＦＤＤインターフエイス２５がそれぞれ接続されており、当該ＣＰＵ２１、ビデオプロセツサ２２、表示コントローラ２３、ＨＤＤインターフエイス２４及びＦＤＤインターフエイス２５はこの画像データバス２０Ａを介してビデオデータの伝送を行うようになされている。
【００３６】
一方、コマンドデータバス２０Ｂには、ＣＰＵ２１、ビデオプロセツサ２２、表示コントローラ２３、ＨＤＤインターフエイス２４、ＦＤＤインターフエイス２５、ポインテイングデバイスインターフエイス２６及び外部インターフエイス２７がそれぞれ接続されており（すなわちコンピユータ２内部の全てのブロツクが接続されている）、当該コマンドデータバス２０Ｂを介してコマンドデータやアドレスデータの伝送を行うようになされている。
【００３７】
ＣＰＵ２１はコンピユータ２全体の制御を行うブロツクであり、コンピユータ２のオペレーテイングシステムが格納されているＲＯＭ２１Ａと、アツプロードされたアプリケーシヨンプログラム等が格納されるＲＡＭ２１Ｂとを有している。コンピユータ２を起動する場合には、ＣＰＵ２１はＲＯＭ２１Ａに記憶されたオペレーテイングシステムに基づいたソフトウエアプログラムを実行する。またアプリケーシヨンプログラムをこの起動中のオペレーテイングシステムの下で実行する場合には、ＣＰＵ２１はまずハードデイスクドライブ２４Ａのハードデイスクに記録されているアプリケーシヨンプログラムを読み出してＲＡＭ２１Ｂにアツプロードし、その後、当該アプリケーシヨンプログラムを実行する。
【００３８】
ビデオプロセツサ２２は、コンピユータ２に入力されるＳＤＩ規格のビデオ信号Ｓ２を受け取り、当該ビデオ信号Ｓ２に対してデータ変換を施すと共に、その変換されたビデオデータを一時的にバツフアリングするためのブロツクである。具体的には、ビデオプロセツサ２２は、当該ビデオプロセツサ２２の全体を制御するプロセツサコントローラ２２Ａと、受け取つたビデオ信号Ｓ２のペイロード部からコンポジツトビデオ信号を抽出し、かつ当該コンポジツトビデオ信号をデイジタルのコンポーネントビデオ信号に変換するデータ変換部２２Ｂと、データ変換部２２Ｂから送出される数フレーム分のビデオデータを一時的に記憶するフレームメモリ２２Ｃとからなる。
【００３９】
プロセツサコントローラ２２Ａは、データ変換部２２Ｂに対して制御信号を送出することにより当該データ変換部２２Ｂのデータ変換動作を制御すると共に、当該データ変換部２２Ｂにビデオ信号Ｓ２からタイムコードを抽出させる。またプロセツサコントローラ２２Ａは、フレームメモリ２２Ｃに対して制御信号を送出することにより当該フレームメモリ２２Ｃのリード／ライトタイミング及びリード／ライトアドレスを制御する。因みに、リードタイミングに関しては、プロセツサコントローラ２２Ａは表示コントローラ２３に送出するタイムコードとビデオデータ（フレームデータ）とが対応するようにフレームメモリ２２Ｃのリードタイミングを制御する。
【００４０】
データ変換部２２Ｂは、プロセツサコントローラ２２Ａからの制御信号に基づいてコンポジツトビデオ信号をデイジタルのコンポーネントビデオ信号に変換する。因みに、タイムコードはこの変換過程において抽出される。この変換により得られたビデオデータは上述したようにフレームメモリ２２Ｃに送出され、また抽出されたタイムコードはプロセツサコントローラ２２Ａに送出される。
【００４１】
フレームメモリ２２Ｃはデータ変換部２２Ｂから供給されるビデオデータを一時的に記憶する。このフレームメモリ２２Ｃのリード／ライトタイミングは、上述したようにプロセツサコントローラ２２Ａによつて制御される。このフレームメモリ２２Ｃは２個のフレームメモリから構成され、２フレーム分のビデオデータを記憶し得るようになされている。
【００４２】
このフレームメモリ２２Ｃに記憶されたビデオデータは、プロセツサコントローラ２２Ａの読み出し制御に基づいて読み出される。その際、フレームメモリ２２Ｃに記憶されたビデオデータを全画素読み出すのではなく、所定の間隔で間引いて読み出すことにより画像サイズを原画像よりも小さくする。このようにして画像サイズが小さく変換されたビデオデータは、モニタ２Ｂのビユウアウインドウ（詳細は後述する）に表示されるため、画像データバス２０Ａを介して表示コントローラ２３に送出される。
【００４３】
表示コントローラ２３は、モニタ２Ｂに表示されるデータを制御するための制御ブロツクである。表示コントローラ２３はメモリコントローラ２３ＡとＶＲＡＭ（ビデオ・ランダム・アクセス・メモリ）２３Ｂとを有している。メモリコントローラ２３Ａはコンピユータ２の内部同期に従つてＶＲＡＭ２３Ｂのリード／ライトタイミングを制御する。このＶＲＡＭ２３Ｂには、ビデオプロセツサ２２のフレームメモリ２２Ｃから送出されたビデオデータ及びＣＰＵ２１によつて生成されるイメージデータが、メモリコントローラ２３Ａからのタイミング制御信号に基づいて記憶される。このＶＲＡＭ２３Ｂに記憶されたビデオデータやイメージデータは、コンピユータ２の内部同期に基づいたメモリコントローラ２３Ａからのタイミング制御信号に基づいて読み出され、モニタ２Ｂに表示される。
【００４４】
この場合、イメージデータによるグラフイツク表示がＧＵＩのためのグラフイツク表示となる。因みに、ＣＰＵ１０からＶＲＡＭ２３Ｂに送出されるイメージデータは、例えばウインドウやカーソル、或いはスクロールバーやデバイスを示すアイコン等のイメージデータである。このコンピユータ２では、これらの複数種類のイメージデータをモニタ２Ｂに表示することによつてＧＵＩのためのグラフイツク表示を得ている。
【００４５】
ＨＤＤインターフエイス２４は、コンピユータ２内部に設けられたローカルハードデイスクドライブ（ＨＤＤ）２４Ａと通信するためのインターフエイスブロツクである。このＨＤＤインターフエイス２４とハードデイスクドライブ２４ＡとはＳＣＳＩ（Small Computer System Interface ）の伝送フオーマツトに基づいて通信が行われるようになされている。
【００４６】
ハードデイスクドライブ２４Ａには、このコンピユータ２で起動するアプリケーシヨンプログラムがインストールされており、当該アプリケーシヨンプログラムを実行する場合には、このハードデイスクドライブ２４Ａから読み出されてＣＰＵ２１のＲＡＭ２１Ｂにアツプロードされる。またこのアプリケーシヨンプログラムを終了する際には、ＲＡＭ２１Ｂに記憶されている編集オペレーシヨンによつて生成された各種情報（例えばフアイル情報等）は、このハードデイスクドライブ２４Ａを介してハードデイスクにダウンロードされる。
【００４７】
ＦＤＤインターフエイス２５は、コンピユータ２内部に設けられたフロツピーデイスクドライブ（ＦＤＤ）２５Ａと通信するためのインターフエイスブロツクである。このＦＤＤインターフエイス２５とフロツピーデイスクドライブ２５ＡとはＳＣＳＩの伝送フオーマツトに基づいて通信が行われるようになされている。
【００４８】
ポインテイングデバイスインターフエイス２６は、コンピユータ２に接続されたマウス２Ｄ及びキーボード２Ｃからの情報を受信するインターフエイスブロツクである。ポインテイングデバイスインターフエイス２６は、マウス２Ｄに設けられた２次元ロータリーエンコーダの検出情報と、マウス２Ｄに設けられた左右のボタンのクリツク情報とを当該マウス２Ｄから受け取り、受け取つたそれらの情報をデコードしてＣＰＵ２１に送出する。同様に、ポインテイングデバイスインターフエイス２６はキーボード２Ｃに設けられたボタンからの入力情報を受け取り、受け取つた入力情報をデコードしてＣＰＵ２１に送出する。これによりＣＰＵ２１は、モニタ２Ｂに表示されるＧＵＩのうちいずれのコマンドボタンが指示されたか認識し得ると共に、キーボード２Ｃより入力された各種データを認識し得、それらに対応する制御を行うことができる。
【００４９】
外部インターフエイス２７は、コンピユータ２の外部に接続された編集処理装置３と通信するためのブロツクである。外部インターフエイス２７はＣＰＵ２１で生成された再生コマンドや記録コマンド等の各種制御コマンドを所定の通信プロトコルのデータに変換するドライバを有しており、当該ドライバを介して制御コマンドを示す制御信号Ｓ１を編集処理装置３に送出する。
【００５０】
（３）編集処理装置の構成
この項では編集処理装置３の構成について説明する。図３に示すように、編集処理装置３は大きく分けてシステムコントロール部３Ａ、マトリクススイツチヤ部３Ｂ、画像処理部３Ｃ及び音声処理部３Ｄからなつている。システムコントロール部３Ａは、コンピユータ２から送られてくる制御信号Ｓ１や専用コントローラ４、５から送られてくる制御信号Ｓ３、Ｓ４を受け、当該制御信号Ｓ１、Ｓ３又はＳ４を基に各ブロツクの動作を制御する。
【００５１】
具体的には、システムコントロール部３Ａは、コントロールバス３Ｅを介してマトリクススイツチヤ部３Ｂ、画像処理部３Ｃ及び音声処理部３Ｄの動作を制御すると共に、制御信号Ｓ５、Ｓ６、Ｓ９又はＳ１２を送出してデイリーサーバ６、ＶＴＲ７及びローカルストレージ８の再生又は記録動作等を制御する。因みに、システムコントロール部３Ａは外部より供給されるリフエレンスタイムコード（REF-TC）も受け取り、タイムコードの管理も行うようになされている。
【００５２】
マトリスクスイツチヤ部３Ｂは複数の入力端子と複数の出力端子とを有し、システムコントロール部３Ａからの制御に応じて所望の入力端子を所望の出力端子に接続するようになされており、これにより各デバイス（デイリーサーバ６、ＶＴＲ７又はローカルストレージ８）から読み出されたビデオ及びオーデイオ信号のうち所望の信号を画像処理部３Ｃや音声処理部３Ｄに送出し得ると共に、所望の信号をコンピユータ２や各デバイス（ＶＴＲ７、ローカルストレージ８又はオンエアバツフア９）に送出し得るようになされている。さらに画像処理部３Ｃによつて処理されたビデオ信号をコンピユータ２に送出したり、或いはそのビデオ信号に音声処理部３Ｄによつて処理されたオーデイオ信号を重畳して各デバイス（ＶＴＲ７、ローカルストレージ８又はオンエアバツフア９）に送出し得るようにもなされている。
【００５３】
画像処理部３Ｃは、トランジシヨンエフエクト（ワイプやページターン等、バツクグラウンドの映像からフオアグラウンドの映像に切り換えるようなエフエクト）やアニメーシヨンエフエクト（モザイクやピクチヤインピクチヤ等、特殊な画像処理や挿入処理を伴うエフエクト）といつた特殊効果をビデオ信号に施すブロツクであり、マトリクススイツチヤ部３Ｂによつて選択されたビデオ及びオーデイオ信号からビデオ信号を抽出し、当該ビデオ信号に特殊効果を施した後、そのビデオ信号をマトリクススイツチヤ部３Ｂに出力する。
【００５４】
音声処理部３Ｄは、オーデイオ信号のレベル調整や合成を行うブロツクであり、マトリクススイツチヤ部３Ｄによつて選択されたビデオ及びオーデイオ信号からオーデイオ信号を抽出した後、そのオーデイオ信号にレベル調整を施したり、或いはオーデイオ信号同士をそれぞれ合成したりし、その結果得られるオーデイオ信号をマトリクススイツチヤ部３Ｂ又はスピーカ１１、１２に出力する。
【００５５】
ここでこれら各ブロツクの構成を図を用いて以下に具体的に説明する。図４に示すように、システムコントロール部３Ａは、メインＣＰＵ（Ｍ−ＣＰＵ）３０、コミユニケーシヨンＣＰＵ（Ｃ−ＣＰＵ）３１及びデバイス制御用ＣＰＵ（Ｄ−ＣＰＵ）３２〜３４の複数のＣＰＵから構成される。メインＣＰＵ３０は、コントロールバス３Ｅを介して各ブロツク（すなわちマトリクススイツチヤ部３Ｂ、画像処理部３Ｃ及び音声処理部３Ｄ）に制御コマンドを与えることにより当該各ブロツクの動作を制御するためのＣＰＵである。
【００５６】
またコミユニケーシヨンＣＰＵ３１は、外部のタイムコード発生器（図示せず）によつて発生したリフアレンスタイムコード（REF-TC）を受け取つたり、或いはコンピユータ２からの制御信号Ｓ１や専用コントローラ４、５からの制御信号Ｓ３、Ｓ４を受け取つたりするための通信用ＣＰＵである。またデバイス制御用ＣＰＵ３２〜３４は、各デバイス（すなわちデイリーサーバ６、ＶＴＲ７及びローカルストレージ８）に対して制御信号Ｓ５、Ｓ６、Ｓ９又はＳ１２を送出して当該各デバイスの動作を制御するためのＣＰＵである。
【００５７】
このようなシステムコントロール部３Ａは、コミユニケーシヨンＣＰＵ３１によつて制御信号Ｓ１、Ｓ３又はＳ４を受け取り、当該コミユニケーシヨンＣＰＵ３１によつてその制御信号Ｓ１、Ｓ３又はＳ４が示す制御コマンドを再生する。この制御コマンドはシステムコントロール部３Ａ内部のバス３５を介してメインＣＰＵ３０に転送される。メインＣＰＵ３０はこの制御コマンドを解析し、デバイス制御が必要であれば対応するデバイス制御用ＣＰＵ３２、３３又は３４に制御コマンドを送出して当該デバイス制御用ＣＰＵ３２、３３又は３４を介してデバイスの動作を制御し、マトリクススイツチヤ部３Ｂ、画像処理部３Ｃ又は音声処理部３Ｄの制御が必要であれば対応するブロツクにコントロールバス３Ｅを介して制御コマンドを送出して当該ブロツクの動作を制御する。
【００５８】
因みに、コミユニケーシヨンＣＰＵ３１は、内部にコンピユータ２の外部インターフエイス２７に対応した通信用のドライバを有しており、当該ドライバによつてコンピユータ２から送られてくる制御信号Ｓ１を受信するようになされている。またデバイス制御用ＣＰＵ３２〜３４は内部にＲＳ−４２２規格のドライバを有しており、当該ドライバによつてＲＳ−４２２規格の制御信号Ｓ５、Ｓ６、Ｓ９又はＳ１２を各デバイスに送出するようになされている。
【００５９】
続いて図５を用いてマトリクススイツチヤ部３Ｂについて説明する。この図５に示すように、マトリクススイツチヤ部３Ｂは大きく分けて制御回路４０、マトリクススイツチヤブロツク４１及びフオーマツト変換ブロツク４２からなつている。制御回路４０はこのマトリクススイツチヤ部３Ｂの全体を制御する回路であり、コントロールバス３Ｅを介して受けた制御コマンドに基づいて制御信号Ｓ２０、Ｓ２１を生成し、当該制御信号Ｓ２０、Ｓ２１をそれぞれマトリクススイツチヤブロツク４１、フオーマツト変換ブロツク４２に出力してその動作を制御する。
【００６０】
マトリクススイツチヤブロツク４１は、入力端子ＩＮ１〜ＩＮ１１にそれぞれ接続される複数の入力ラインと、出力端子ＯＵＴ１〜ＯＵＴ１３にそれぞれ接続される複数の出力ラインとが格子状に配列されており、入力ラインと出力ラインが交差するクロスポイント（図中×印で示す）の所で当該入力ラインと出力ラインを接続し得るようになされている。このためマトリクススイツチヤブロツク４１は、制御回路４０から供給される制御信号Ｓ２０に基づいて所望のクロスポイントの所で入力ラインと出力ラインを接続すれば、入力端子ＩＮ１〜ＩＮ１１に入力された所望の信号を所望の出力端子ＯＵＴ１〜ＯＵＴ１３に出力することができる。
【００６１】
因みに、このマトリクススイツチヤ部３Ｂにおいては、デイリーサーバ６、ＶＴＲ７及びローカルストレージ８の各デバイスから読み出されたビデオ及びオーデイオ信号がそれぞれ入力端子ＩＮ１〜ＩＮ８に入力されるようになされている（但し、この図５の例では、入力端子ＩＮ１〜ＩＮ５にビデオ及びオーデイオ信号Ｓ７、Ｓ８、Ｓ１０、Ｓ１３、Ｓ１４が入力され、入力端子ＩＮ５〜ＩＮ８は空き端子となつている）。また入力端子ＩＮ９及びＩＮ１０には画像処理部３Ｃによつて画像処理が施されたビデオ信号Ｓ３１、Ｓ３２がそれぞれ入力され、入力端子ＩＮ１１には音声処理部３Ｄによつて信号処理が施されたオーデイオ信号Ｓ３３が入力されるようになされている。
【００６２】
またこのマトリクススイツチヤ部３Ｂにおいては、出力端子ＯＵＴ１はローカルストレージ８にビデオ及びオーデイオ信号Ｓ１５を出力するための端子として割り当てられ、出力端子ＯＵＴ２はＶＴＲ７にビデオ及びオーデイオ信号Ｓ１１を出力するための端子として割り当てられ、出力端子ＯＵＴ３はオンエアバツフア９にビデオ及びオーデイオ信号Ｓ１６を出力するための端子として割り当てられており、出力端子ＯＵＴ１〜ＯＵＴ３はそれぞれプログラム出力用の端子として割り当てられている。また出力端子ＯＵＴ４はプレビユウ専用のモニタ１３にビデオ信号Ｓ１９を出力するためのプレビユウ用の出力端子として割り当てられており、出力端子ＯＵＴ５はコンピユータ２にビデオ信号Ｓ２を出力するためのキヤプチヤ用の出力端子として割り当てられている。さらに出力端子ＯＵＴ６〜ＯＵＴ１０は画像処理部３Ｃにビデオ及びオーデイオ信号Ｓ２３〜Ｓ２７を出力するための端子として割り当てられ、出力端子ＯＵＴ１１〜ＯＵＴ１３は音声処理部３Ｄにビデオ及びオーデイオ信号Ｓ２８〜Ｓ３０を出力するための端子として割り当てられている。
【００６３】
フオーマツト変換ブロツク４２は、制御回路４０から供給される制御信号Ｓ２１に基づいて、出力端子ＯＵＴ１〜ＯＵＴ５に出力する信号をＳＤＩ規格の信号に変換する回路ブロツクであり、出力端子ＯＵＴ１〜ＯＵＴ３に出力する信号をフオーマツト変換するアウトプツトプロセツサ４３及びオーデイオコンバイナ４４と、出力端子ＯＵＴ４に出力する信号をフオーマツト変換するアウトプツトプロセツサ４５と、出力端子ＯＵＴ５に出力する信号をフオーマツト変換するアウトプツトプロセツサ４６とを有している。
【００６４】
アウトプツトプロセツサ４３は、画像処理部３Ｃによつて画像処理されたビデオ信号（すなわち入力端子ＩＮ９又はＩＮ１０に入力されるビデオ信号Ｓ３１又はＳ３２）を出力するとき、当該ビデオ信号Ｓ３１又はＳ３２をＳＤＩ規格のビデオ信号に変換する。オーデイオコンバイナ４４は、音声処理部３Ｄによつて処理されたエンベデツトオーデイオ信号（すなわち入力端子ＩＮ１１に入力されるオーデイオ信号Ｓ３３）を出力するとき、アウトプツトプロセツサ４３から出力されるＳＤＩ規格のビデオ信号に当該エンベデツトオーデイオ信号Ｓ３３を重畳する。
【００６５】
これにより画像処理部３Ｃによつて処理されたビデオ信号Ｓ３１、Ｓ３２や音声処理部３Ｄによつて処理されたオーデイオ信号Ｓ３３をＳＤＩ規格の信号でローカルストレージ８やＶＴＲ７或いはオンエアバツフア９に送出し得る。因みに、入力端子ＩＮ１〜ＩＮ８に入力されたビデオ及びオーデイオ信号を出力端子ＯＵＴ１〜ＯＵＴ３に出力する場合には、当該ビデオ及びオーデイオ信号がＳＤＩ規格で各デバイスから出力されているので、アウトプツトプロセツサ４３及びオーデイオコンバイナ４４は何ら処理せず、入力されるビデオ及びオーデイオ信号をそのまま出力端子ＯＵＴ１〜ＯＵＴ３に出力する。
【００６６】
アウトプツトプロセツサ４５、４６も、同様に、それぞれ画像処理部３Ｃによつて画像処理されたビデオ信号Ｓ３１又はＳ３２を出力端子ＯＵＴ４又はＯＵＴ５に出力するとき、当該ビデオ信号Ｓ３１又はＳ３２をＳＤＩ規格のビデオ信号に変換する。これにより画像処理部３Ｃによつて処理されたビデオ信号Ｓ３１又はＳ３２をＳＤＩ規格の信号でプレビユウ専用のモニタ１３やコンピユータ２に送出し得る。因みに、このアウトプツトプロセツサ４５、４６も、入力端子ＩＮ１〜ＩＮ８に入力されたビデオ及びオーデイオ信号を出力端子ＯＵＴ４、ＯＵＴ５に出力する場合には、当該ビデオ及びオーデイオ信号に何ら処理せず、そのまま出力端子ＯＵＴ４、ＯＵＴ５に出力する。
【００６７】
続いて図６を用いて画像処理部３Ｃについて説明する。この図６に示すように、画像処理部３Ｃは大きく分けて制御回路５０と、デマルチプレクサブロツク５１と、スイツチヤブロツク５２と、特殊効果ブロツク５３と、ミキサブロツク５４とを有している。制御回路５０はこの画像処理部３Ｃの全体を制御する回路であり、コントロールバス３Ｅを介して受けた制御コマンドに基づいて制御信号Ｓ４０、Ｓ４１、Ｓ４２、Ｓ４３を生成し、当該制御信号Ｓ４０、Ｓ４１、Ｓ４２、Ｓ４３をそれぞれデマルチプレクサブロツク５１、スイツチヤブロツク５２、特殊効果ブロツク５３、ミキサブロツク５４に出力してその動作を制御する。
【００６８】
これによりこの画像処理部３Ｃでは、マトリクススイツチヤ部３Ｂから供給されたビデオ信号（Ｓ２３〜Ｓ２７）に対して画像処理を施す。因みに、ここで言う画像処理とは、ソースビデオ信号に特殊効果を施したり、バツクグラウンドビデオ信号に特殊効果のかかつたビデオ信号を挿入したりするアニメーシヨンエフエクトや、バツクグラウンドビデオ信号からフオアグラウンドビデオ信号に映像を切り換えるトランジシヨンエフエクトのことである。
【００６９】
デマルチプレクサブロツク５１は、ＳＤＩ規格の信号形式で送られてくるビデオ及びオーデイオ信号Ｓ２３〜Ｓ２７からビデオ信号又はキー信号を抽出するブロツクである。このデマルチプレクサブロツク５１は、入力されるビデオ及びオーデイオ信号Ｓ２３〜Ｓ２７からそれぞれ信号抽出を行う５つのデマルチプレクサ回路５１Ａ〜５１Ｅからなつている。デマルチプレクサ回路５１Ａは、ビデオ及びオーデイオ信号Ｓ２３を形成する各パケツトのペイロード部からキー信号を抽出する回路であり、当該キー信号の先頭に配置されている同期信号及びヘツダ情報に基づいて抽出を行う。
【００７０】
またデマルチプレクサ回路５１Ｂは、ビデオ及びオーデイオ信号Ｓ２４を形成する各パケツトのペイロード部からビデオ信号を抽出する回路であり、当該ビデオ信号の先頭に配置されている同期信号及びヘツダ情報に基づいて抽出を行う。同様に、デマルチプレクサ回路５１Ｃはビデオ及びオーデイオ信号Ｓ２５からキー信号を抽出し、デマルチプレクサ回路５１Ｄはビデオ及びオーデイオ信号Ｓ２６からビデオ信号を抽出し、デマルチプレクサ回路５１Ｅはビデオ及びオーデイオ信号Ｓ２７からビデオ信号を抽出する。
【００７１】
スイツチヤブロツク５２は、抽出されたキー信号及びビデオ信号に対してトランジシヨンエフエクトのための処理を施すブロツクであり、ワイプ信号発生器５２Ａ、５２Ｂ、キー信号処理回路５２Ｃ、５２Ｄ、及びビデオ信号処理回路５２Ｅ、５２Ｆからなつている。ワイプ信号発生器５２Ａは、制御回路５０からの制御信号Ｓ４１に基づいてオペレータが指定したトラジシヨンエフエクトに対応するワイプ信号を生成し、当該ワイプ信号をキー信号処理回路５２Ｃ及びビデオ信号処理回路５２Ｅに送出する。
【００７２】
キー信号処理回路５２Ｃは、供給されるワイプ信号に基づいてデマルチプレクサ回路５１Ａから供給されるキー信号を当該ワイプ信号に対応するように変換し（又は供給されるワイプ信号に基づいて当該ワイプ信号に対応する所望のキー信号を新たに生成する）、その結果得られるキー信号を後述するミキサブロツク５４に送出する。またビデオ信号処理回路５２Ｅは、供給されるワイプ信号に基づいてデマルチプレクサ回路５１Ｂから供給されるビデオ信号を当該ワイプ信号に対応するように変換し、その結果得られるビデオ信号を後述するミキサブロツク５４に送出する。
【００７３】
同様に、ワイプ信号発生器５２Ｂは、制御回路５０からの制御信号Ｓ４１に基づいてオペレータが指定したトラジシヨンエフエクトに対応するワイプ信号を生成し、当該ワイプ信号をキー信号処理回路５２Ｄ及びビデオ信号処理回路５２Ｆに送出する。キー信号処理回路５２Ｄは、供給されるワイプ信号に基づいてデマルチプレクサ回路５１Ｃから供給されるキー信号を当該ワイプ信号に対応するように変換し（又は供給されるワイプ信号に基づいて当該ワイプ信号に対応する所望のキー信号を新たに生成する）、その結果得られるキー信号を後述する特殊効果ブロツク５３に送出する。またビデオ信号処理回路５２Ｆは、供給されるワイプ信号に基づいてデマルチプレクサ回路５１Ｄから供給されるビデオ信号を当該ワイプ信号に対応するように変換し、その結果得られるビデオ信号を後述する特殊効果ブロツク５３に送出する。
【００７４】
特殊効果ブロツク５３は、制御回路５０から供給される制御信号Ｓ４２に基づいて、キー信号処理回路５２Ｄから出力されるキー信号及びビデオ信号処理回路５２Ｆから出力されるビデオ信号を３次元的に画像変換するためのブロツクであり、３次元アドレス発生回路５３Ａ、フレームメモリ５３Ｂ、５３Ｃ及び補間回路５３Ｄ、５３Ｅからなつている。３次元アドレス発生回路５３Ａは、制御信号Ｓ４２に基づいて、オペレータが指定した３次元的な画像変換を行うための変換アドレスを生成し、当該変換アドレスをフレームメモリ５３Ｂ、５３Ｃ及び補間回路５３Ｄ、５３Ｅに出力する。
【００７５】
フレームメモリ５３Ｂは、キー信号処理回路５２Ｄから供給されるキー信号を順次内部のメモリ領域に格納すると共に、その格納されたキー信号を変換アドレスに基づいて読み出すことにより、当該キー信号に対して３次元的な画像変換を施し、その結果得られるキー信号を補間回路５３Ｄに送出する。同様に、フレームメモリ５３Ｂは、ビデオ信号処理回路５２Ｆから供給されるビデオ信号を順次内部のメモリ領域に格納すると共に、その格納されたビデオ信号を変換アドレスに基づいて読み出すことにより、当該ビデオ信号に対して３次元的な画像変換を施し、その結果得られるビデオ信号を補間回路５３Ｅに送出する。
【００７６】
補間回路５３Ｄは３次元的な変換処理が施されたキー信号に補間処理を施す回路であり、変換アドレスに基づいてキー信号の画素を空間的に補間し、その結果得られるキー信号を後述するミキサブロツク５４に送出する。同様に、補間回路５３Ｅは３次元的な変換処理が施されたビデオ信号に補間処理を施す回路であり、変換アドレスに基づいてビデオ信号の画素を空間的に補間し、その結果得られるビデオ信号を後述するミキサブロツク５４に送出する。
【００７７】
ミキサブロツク５４は制御信号Ｓ４３による指示に従つてビデオ信号を合成するブロツクであり、２つのミツクス回路５４Ａ、５４Ｂからなつている。ミツクス回路５４Ａは、特殊効果ブロツク５３から出力されるキー信号に基づいて、当該特殊効果ブロツク５３によつて画像変換されたビデオ信号とデマルチプレクサ回路５１Ｅから出力されるバツクグラウンドビデオ信号としてのビデオ信号とを合成することによりビデオ信号Ｓ３１を生成する。またミツクス回路５４Ｂは、スイツチヤブロツク５２から出力されるキー信号に基づいて、当該スイツチヤブロツク５２から出力されるビデオ信号とミツクス回路５４Ａから出力されるビデオ信号Ｓ３１とを合成することによりビデオ信号Ｓ３２を生成する。このようにして生成されたビデオ信号Ｓ３１、Ｓ３２は、上述したようにマトリクススイツチヤ部３Ｂに送出される。
【００７８】
因みに、単に２つの映像を切り換えるだけのトランジシヨンエフエクトを行う場合には、デマルチプレクサ回路５１Ｅから出力されるビデオ信号をバツクグラウンドビデオ信号としてミツクス回路５４Ａを介してミツクス回路５４Ｂに入力すると共に、ビデオ信号処理回路５２Ｅから出力されるビデオ信号をフオアグラウンドビデオ信号としてミツクス回路５４Ｂに入力し、その２つのビデオ信号をキー信号処理回路５２Ｃから出力されるキー信号に基づいて合成する。これによりバツクグラウンドビデオ信号からフオアグラウンドビデオ信号に切り換わるビデオ信号Ｓ３２が生成される。
【００７９】
またページターンのような画像変換を伴うトランジシヨンエフエクトを行う場合には、デマルチプレクサ回路５１Ｅから出力されるビデオ信号をバツクグラウンドビデオ信号としてミツクス回路５４Ａに入力すると共に、ビデオ信号処理回路５２Ｆから出力されるビデオ信号をフオアグラウンドビデオ信号として特殊効果ブロツク５３を介して画像変換した後にミツクス回路５４Ａに入力し、その２つのビデオ信号を特殊効果ブロツク５３を介して信号処理されたキー信号に基づいて合成する。これによりページをめくるようにしてバツクグラウンドビデオ信号からフオアグラウンドビデオ信号に切り換わるビデオ信号Ｓ３１が生成される。
【００８０】
またピクチヤインピクチヤのようなアニメーシヨンエフエクトを行う場合には、デマルチプレクサ回路５１Ｅから出力されるビデオ信号をバツクグラウンドビデオ信号としてミツクス回路５４Ａに入力すると共に、ビデオ信号処理回路５２Ｆから出力されるビデオ信号を挿入素材として特殊効果ブロツク５３を介して画像変換した後にミツクス回路５４Ａに入力し、その２つのビデオ信号を特殊効果ブロツク５３を介して信号処理されたキー信号に基づいて合成する。これによりバツクグラウンドビデオ信号に挿入素材が挿入されたピクチヤインピクチヤのビデオ信号Ｓ３１が生成される。
【００８１】
続いて図７を用いて音声処理部３Ｄについて説明する。この図７に示すように、音声処理部３Ｄは大きく分けて制御回路５５、入力信号処理ブロツク５６、補助入力信号処理ブロツク５７、ミキサブロツク５８及び出力信号処理ブロツク５９からなつている。制御回路５５はこの音声処理部３Ｄの全体を制御する回路であり、コントロールバス３Ｅを介して受けた制御コマンドに基づいて制御信号Ｓ４５、Ｓ４６、Ｓ４７、Ｓ４８を生成し、当該制御信号Ｓ４５、Ｓ４６、Ｓ４７，Ｓ４８をそれぞれ入力信号処理ブロツク５６、補助入力信号処理ブロツク５７、ミキサブロツク５８、出力信号処理ブロツク５９に出力してその動作を制御する。これによりこの音声処理部３Ｄでは、マトリクススイツチヤ部３Ｂから供給されたオーデイオ信号（Ｓ２８〜Ｓ３０）に対して音声処理が施される。因みに、ここで言う音声処理とは、オーデイオ信号のレベル調整と合成のことである。
【００８２】
入力信号処理ブロツク５６は、ＳＤＩ規格の信号形式がパラレル化され送られてくるビデオ及びオーデイオ信号Ｓ２８〜Ｓ３０からオーデイオ信号を抽出し、そのオーデイオ信号を信号処理部（ＤＳＰ部）で処理するためにＤＳＰフォーマットのオーデイオ信号に変換して送出するブロツクである。この入力信号処理ブロツク５６は、信号分離回路としてのセパレータ５６Ａ〜５６Ｃを有している。セパレータ５６Ａ〜５６Ｃは、それぞれパラレル化されたＳＤＩ規格のビデオ及びオーデイオ信号Ｓ２８〜Ｓ３０からＤＳＰフォーマットのオーデイオ信号を抽出する回路である。すなわち、セパレータ５６Ａ〜５６Ｃは、入力されるビデオ及びオーデイオ信号Ｓ２８〜Ｓ３０からエンベデツトオーデイオ信号を抽出して、シリアル化したオーデイオ信号をそれぞれミキサブロツク５８に送出する。
【００８３】
補助入力信号処理ブロツク５７は、外部から入力されるＡＥＳ／ＥＢＵ（Audio Engineering Society / Europian Broadcasting Union ) フォーマツトのオーディオ信号をＤＳＰフォーマットのオーデイオ信号に変換するブロツクである。この補助入力信号処理ブロツク５７は、レート変換のためのサンプリングレートコンバータ５７Ａ〜５７Ｄと、フォーマット変換回路としてのデコーダ５７Ｅ〜５７Ｈとを有している。サンプリングレートコンバータ５７Ａ〜５７Ｄでは、供給されたＡＥＳ／ＥＢＵフォーマットのオーディオ信号の異なるサンプリングレートが音声処理部３Ｄ内の所定のサンプリングレートに変換される。サンプリングレートが変換されたオーデイオ信号は、デコーダ５７Ｅ〜５７Ｈに送出される。デコーダ５７Ｅ〜５７Ｈは、それぞれオーデイオ信号をフォーマツト変換する回路であり、入力されるＡＥＳ／ＥＢＵフオーマツトのオーデイオ信号をそれぞれＤＳＰフォーマットのオーデイオ信号に変換し、その結果得られるオーデイオ信号をそれぞれミキサブロツク５８に送出する。
【００８４】
ミキサブロツク５８は、オーデイオ信号のレベル調整を行うと共に、信号合成を行うブロツクであり、可変抵抗回路５８Ａ〜５８Ｎと、加算回路５８Ｏ、５８Ｐと、可変抵抗回路５８Ａ〜５８Ｎの信号レベルを専用コントローラ５へ送信するメータデータ発生回路５８Ｑとからなつている。入力信号処理ブロツク５６から供給されたオーデイオ信号及び補助入力信号処理ブロツク５７から供給されたオーデイオ信号は、それぞれ右側成分と左側成分に分離された後に可変抵抗回路５８Ａ〜５８Ｇと可変抵抗回路５８Ｈ〜５８Ｎに入力される。可変抵抗回路５８Ａ〜５８Ｇと５８Ｈ〜５８Ｎは、コンピユータ２のモニタ２Ｂに表示されるＧＵＩのオーデイオフエーダ又は専用コントローラ５に設けられたオーデイオフエーダの操作に連動して抵抗値が変化するようになされており、これにより入力されるオーデイオ信号をそれぞれオペレータが指定した信号レベルにレベル調整する。
【００８５】
可変抵抗回路５８Ａ〜５８Ｇによつてレベル調整されたオーデイオ信号は、それぞれ加算回路５８Ｏに入力され、ここで加算された後に出力信号処理ブロツク５９に送出される。同様に、可変抵抗回路５８Ｈ〜５８Ｎによつてレベル調整されたオーデイオ信号は、それぞれ加算回路５８Ｐに入力され、ここで加算された後に出力信号処理ブロツク５９に送出される。メータデータ発生回路５８Ｑは、後述する専用コントローラ５のパネルのディジタルメータを直接制御するように、この時の信号レベルをデータへ変換する。変換されたデータは、専用コントローラ５へ送出される。
【００８６】
出力信号処理ブロツク５９は出力するＤＳＰフオーマツトのオーデイオ信号をＳＤＩ規格の信号形式をパラレル化したエンベデツトオーデイオ信号に変換するブロツクである。この出力信号処理ブロツク５９は、信号合成回路としてのエンベデツト回路５９Ａと、フオーマツト変換回路としてのエンコーダ５９Ｂ、５９Ｃとを有している。エンベデツト回路５９Ａは、マトリクススイツチヤ部３Ｂのコンバイナ４４によってオーデイオ信号をＳＤＩ規格のビデオ信号に重畳し得るように所定の信号形式に信号変換を行う回路であり、加算回路５８Ｏ及び５８Ｐから供給されたシリアルのオーデイオ信号を合成した後に所定の信号形式、すなわちパラレルのエンベデツトオーデイオ信号に信号変換を行う。この処理により得られたエンベデツトオーデイオ信号Ｓ３３は、上述したようにマトリクススイツチヤ部３Ｂのコンバイナ４４に送出される。
【００８７】
エンコーダ５９ＢはＤＳＰフオーマツトのオーデイオ信号をＡＥＳ／ＥＢＵフオーマツトのオーデイオ信号にフオーマツト変換する回路であり、加算回路５８Ｏから出力されたオーデイオ信号をＡＥＳ／ＥＢＵフオーマツトのオーデイオ信号Ｓ１７にフオーマツト変換し、音声確認用のスピーカ１１（図１参照）に送出する。同様に、エンコーダ５９ＣはＤＳＰフオーマツトのオーデイオ信号をＡＥＳ／ＥＢＵフオーマツトのオーデイオ信号にフオーマツト変換する回路であり、加算回路５８Ｐから出力されたオーデイオ信号をＡＥＳ／ＥＢＵフオーマツトのオーデイオ信号Ｓ１８にフオーマツト変換し、音声確認用のスピーカ１２（図１参照）に送出する。
【００８８】
（４）ローカルストレージの構成
次にこの項では編集処理装置３に接続されるデータ記憶手段としてローカルストレージ８について説明する。図８に示すように、このローカルストレージ８は、入出力インターフエイスとしてのデータ入出力ブロツク６０と、このローカルストレージ８全体の動作を制御するシステムコントロールブロツク６１と、ビデオデータを記憶するデイスクアレイブロツク６２と、オーデイオデータを記憶するデイスクアレイブロツク６３とを有している。
【００８９】
データ入出力ブロツク６０は入力１チヤンネル、出力２チヤンネルの構成を有しており、システムコントロールブロツク６１からの制御信号Ｓ６０に基づいて、編集処理装置３から供給されたビデオ及びオーデイオ信号Ｓ１５にデータ記憶に先立つて所定の信号処理を施すと共に、デイスクアレイブロツク６２、６３から読み出したデータに所定の信号処理を施してビデオ及びオーデイオ信号Ｓ１３、Ｓ１４として出力する。
【００９０】
具体的に説明すると、まず編集処理装置３から供給されたビデオ及びオーデイオ信号Ｓ１５はエンコーダ６０Ａに入力される。エンコーダ６０ＡはＳＤＩ規格のビデオ及びオーデイオ信号Ｓ１５からビデオ信号Ｓ６１とオーデイオ信号Ｓ６２を抽出し、当該ビデオ信号Ｓ６１をビデオ圧縮回路６０Ｂに出力すると共に、オーデイオ信号Ｓ６２をオーデイオ圧縮回路６０Ｊに出力する。ビデオ圧縮回路６０Ｂは、圧縮率1/10のＭＰＥＧ規格でビデオ信号Ｓ６１を圧縮し、その圧縮したビデオデータをバツフアメモリ６０Ｃに格納する。同様に、オーデイオ圧縮回路６０Ｊは、所定の音声圧縮方式を用いてオーデイオ信号Ｓ６２を圧縮し、その圧縮したオーデイオデータをバツフアメモリ６０Ｋに格納する。バツフアメモリ６０Ｃ、６０Ｋに格納されたビデオデータとオーデイオデータは、システムコントロールブロツク６１の制御の基に順次読み出され、ビデオデータ用のデイスクアレイブロツク６２とオーデイオ用のデイスクアレイブロツク６３にそれぞれ記録される。
【００９１】
一方、再生第１チヤンネルのビデオデータとしてデイスクアレイブロツク６２から読み出されたビデオデータは、システムコントロールブロツク６１の制御の基に、順次バツフアメモリ６０Ｆに格納される。同様に、再生第１チヤンネルのオーデイオデータとしてデイスクアレイブロツク６３から読み出されたオーデイオデータは、システムコントロールブロツク６１の制御の基に、順次バツフアメモリ６０Ｍに格納される。第１のビデオ伸長回路６０Ｆは、圧縮率1/10のＭＰＥＧ規格で圧縮されているビデオデータをバツフアメモリ６０Ｆから読み出し、当該ビデオデータを伸長処理した後、そのビデオデータＳ６３を第１のデコーダ６０Ｄに出力する。
【００９２】
同様に、第１のオーデイオ伸長回路６０Ｌは、圧縮されているオーデイオデータをバツフアメモリ６０Ｍから読み出し、当該オーデイオデータを伸長処理した後、そのオーデイオデータＳ６４を第１のデコーダ６０Ｄに出力する。第１のデコーダ６０ＤはＳＤＩ規格のフオーマツトに基づいてビデオデータＳ６３にオーデイオデータＳ６４を重畳する。これによりデイスクアレイブロツク６２から読み出した再生第１チヤンネルのビデオデータとデイスクアレイブロツク６３から読み出した再生第１チヤンネルのオーデイオデータをＳＤＩ規格のビデオ及びオーデイオ信号Ｓ１３として送出し得る。
【００９３】
同様に、再生第２チヤンネルのビデオデータとしてデイスクアレイブロツク６２から読み出されたビデオデータは、システムコントロールブロツク６１の制御の基に、順次バツフアメモリ６０Ｉに格納される。また再生第２チヤンネルのオーデイオデータとしてデイスクアレイブロツク６３から読み出されたオーデイオデータも、システムコントロールブロツク６１の制御の基に、順次バツフアメモリ６０Ｐに格納される。第２のビデオ伸長回路６０Ｈは、圧縮率1/10のＭＰＥＧ規格で圧縮されているビデオデータをバツフアメモリ６０Ｉから読み出し、当該ビデオデータを伸長処理した後、そのビデオデータＳ６５を第２のデコーダ６０Ｇに出力する。
【００９４】
同様に、第２のオーデイオ伸長回路６０Ｎも、圧縮されているオーデイオデータをバツフアメモリ６０Ｐから読み出し、当該オーデイオデータを伸長処理した後、そのオーデイオデータＳ６６を第２のデコーダ６０Ｇに出力する。第２のデコーダ６０ＧはＳＤＩ規格のフオーマツトに基づいてビデオデータＳ６５にオーデイオデータＳ６６を重畳する。これによりデイスクアレイブロツク６２から読み出した再生第２チヤンネルのビデオデータとデイスクアレイブロツク６３から読み出した再生第２チヤンネルのオーデイオデータをＳＤＩ規格のビデオ及びオーデイオ信号Ｓ１４として送出し得る。
【００９５】
システムコントロールブロツク６１は、このローカルストレージ８の全体を制御するブロツクであり、ＣＰＵ６１Ａと、ＤＭＡコントローラ（Direct Memory Access controller ）６１Ｂ、６１Ｃと、ＳＣＳＩプロトコルコントローラ６１Ｄ、６１Ｅと、制御信号Ｓ１２の入力インターフエイス６１Ｆとを有している。ＣＰＵ６１Ａはシステムコントロールブロツク６１の中心的存在である制御回路を構成しており、編集処理装置３からＲＳ−４２２の通信プロトコルで送られてくる制御信号Ｓ１２を入力インターフエイス６１Ｆを介して受け、その制御信号Ｓ１２が示す制御コマンドに基づいて、ＤＭＡコントローラ６１Ｂ、６１ＣとＳＣＳＩプロトコルコントローラ６１Ｄ、６１Ｅの動作を制御する。
【００９６】
上述したこの発明の一実施例において、図５を参照して説明したマトリクススイッチャ部３Ｂの構成、並びにアウトプツトプロセツサ４３及びオーデイオコンバイナ４４の動作に基づいて、以下のような２通りの処理が可能である。まず、図９を参照して通常の編集処理について説明する。図９には、通常の編集処理の一例として、ＶＴＲ７から入力されるＳ１０を編集処理する場合の信号経路を太線で示した。Ｓ１０は、マトリクススイッチャ部３Ｂによって、画像処理部３Ｃ及び音声処理部３Ｄに送出される。画像処理部３Ｃの出力Ｓ３１及びＳ３２は、一旦、マトリクススイッチャ部３Ｂに送出され、マトリクススイッチャ部３Ｂによってアウトプットプロセッサ４３に送出される。
【００９７】
一方、音声処理部３Ｄの出力Ｓ３３は、オーデイオコンバイナ４４に送出される。図５を参照して上述したように、オーデイオコンバイナ４４は、信号Ｓ３３が入力されたときに、アウトプツトプロセツサ４３の出力に、当該信号Ｓ３３を重畳するようになされている。このため、画像処理部３Ｃの出力Ｓ３１及びＳ３２に音声処理部３Ｄの出力Ｓ３３が重畳されたＳＤＩ規格の信号をローカルストレージ８、ＶＴＲ７又はオンエアバツフア９に送出することができる。
【００９８】
次に、編集処理と、ローカルストレージ８への記録とを並行して行う処理について図１０を参照して説明する。図１０には、このような処理の一例としてＶＴＲ７から入力される信号Ｓ１０に対する編集処理と、デイリーサーバ６から入力される信号Ｓ７又はＳ８をローカルストレージ８に記録する処理とを並行して行う場合の信号経路を太線で示した。信号Ｓ１０は、マトリクススイッチャ部３Ｂによって画像処理部３Ｃ及び音声処理部３Ｄに送出される。画像処理部３Ｃの出力Ｓ３１及びＳ３２は、一旦、マトリクススイッチャ部３Ｂに送出され、マトリクススイッチャ部３Ｂによってアウトプットプロセッサ４５又は４６に送出される。そして、アウトプットプロセッサ４５又は４６によって処理された後に、プレビユウ専用のモニタ１３又はコンピュータ２に送出される。このようにして、画像処理部３Ｃによる信号Ｓ１０に対する編集処理を行うことができる。
【００９９】
また、この場合には、音声処理部３Ｄの出力がオーデイオコンバイナ４４に送出されないようになされる。このため、音声処理部３Ｄは、事実上開放されたことになるので、何らかのレベルコントロール等の音声処理部３Ｄの入出力に対する設定を変更しても、ローカルストレージ８に信号Ｓ７又はＳ８を送出する、後述するような処理には影響を与えない。
【０１００】
一方、デイリーサーバ６から入力される信号Ｓ７又はＳ８は、マトリクススイッチャ部３Ｂによって、アウトプットプロセッサ４３に送出される。上述したように、信号Ｓ７及びＳ８はＳＤＩ規格でデイリーサーバ６から出力されたものなので、アウトプツトプロセツサ４３は何らの処理も行わず、入力される信号をそのままオーデイオコンバイナ４４に出力する。
【０１０１】
さらに、上述したように、オーデイオコンバイナ４４には音声処理部３Ｄの出力が送出されないので、オーデイオコンバイナ４４は、アウトプツトプロセツサ４３から入力される信号をそのまま出力端子ＯＵＴ１〜ＯＵＴ３（図５参照）に出力する。この内、端子ＯＵＴ１は、ローカルストレージ８にビデオ及びオーデイオ信号を出力するための端子として割り当てられているので、デイリーサーバ６から入力される信号Ｓ７又はＳ８をローカルストレージ８にそのまま取り込む処理が可能となる。
【０１０２】
このようにして、ＶＴＲ７から入力される信号Ｓ１０に対する編集処理と、デイリーサーバ６から入力される信号Ｓ７又はＳ８をローカルストレージ８に記録する処理とを並行して行うことが可能となる。
【０１０３】
このような処理において、編集処理を一般にフォアグランドにおける処理と称することが多い。それに対して編集処理に並行して行われる処理を一般にバックグランドにおける処理と称する。図１０を参照して行った上述の説明は、フォアグランドにおける処理がＶＴＲ７から入力される信号Ｓ１０に対する編集処理であり、バックグランドにおける処理がデイリーサーバ６から入力される信号Ｓ７又はＳ８をローカルストレージ８に記録する処理である場合に関するものである。
【０１０４】
フォアグランドにおける編集処理の対象及びバックグランドにおいて記録される処理の対象が他の信号であっても良い。マトリックススイッチヤ３Ｂ中のクロスポイントを切替えることにより、所望の処理対象を選択することができる。
【０１０５】
【発明の効果】
上述したように、この発明は、ローカルストレージを有するノンリニア編集装置において、マトリクススイッチャ部によって、編集処理経路と、ローカルストレージに記録対象とされる信号を送出する信号系路とを分離するようにしたものである。このため、フォアグランドにおける編集処理と並行して、バックグランドにおけるローカルストレージへの記録を行うことが可能となる。
【０１０６】
従って、ローカルストレージへの記録を行う期間にも編集処理を行うことができるので、編集機全体の運用効率を向上させることが可能となる。
【０１０７】
また、この発明は、従来の編集装置と同等の入出力を有するものなので、既存の編集システムに組み込むことが可能である。
【図面の簡単な説明】
【図１】この発明が適用される編集装置の一例の全体構成である。
【図２】この発明に係るコンピュータの一例の内部構成の概略図である。
【図３】この発明が適用される編集処理装置の一例の全体構成である。
【図４】この発明に係るシステムコントロール部の一例の構成である。
【図５】この発明に係るマトリクススイッチャ部の一例の構成である。
【図６】この発明に係る画像処理部の一例の構成である。
【図７】この発明に係る音声処理部の一例の構成である。
【図８】この発明に係るローカルストレージの一例である。
【図９】この発明による通常の編集処理について説明するための略線図である。
【図１０】この発明による、編集処理と並行して記録を行う処理について説明するための略線図である。
【符号の説明】
１・・・編集装置、２・・・コンピュータ、３・・・編集処理装置、４、５・・・専用コントローラ、６・・・デイリーサーバ、７・・・ＶＴＲ、８・・・ローカルストレージ、９・・・オンエアバッファ、１０・・・ＬＡＮ、１１、１２・・・スピーカ、１３・・・モニタ
【図１】
0003899586.tif 000002
【図２】
0003899586.tif 000003
【図３】
0003899586.tif 000004
【図４】
0003899586.tif 000005
【図５】
0003899586.tif 000006
【図６】
0003899586.tif 000007
【図７】
0003899586.tif 000008
【図８】
0003899586.tif 000009
【図９】
0003899586.tif 000010
【図１０】
0003899586.tif 000011